(57)【特許請求の範囲】
【請求項１】
物品を載置可能な物品載置面と、
前記物品載置面で上方に向けて開口し、該物品載置面上で起立する被支持物品の下端を入り込ませて支持する物品支持凹部と、を備え、
前記被支持物品は、前記物品載置面の上方で支持部に寄り掛かって傾斜し、
前記物品支持凹部は、前記物品載置面に沿う長手方向を有し、前記長手方向と交差する断面視において、断面形状は半円形状であり、かつ、深さは前記半円形状の半径未満とされ、
前記物品支持凹部の底部側には、前記被支持物品の傾きの変化を許容するべく、前記被支持物品の下端を前記物品載置面の面方向で移動可能とし、かつ該面方向の移動に伴う前記下端の前記物品載置面の法線方向の移動量は０又は前記面方向の移動量よりも小さい値とする第一部位が形成され、
前記物品支持凹部の開口側には、前記被支持物品の傾きの変化を抑えるべく、前記被支持物品の下端を前記面方向で移動可能としつつ、該面方向の移動に伴う前記下端の前記法線方向の移動量は前記面方向の移動量よりも大きい値とする第二部位が形成される、什器。
【請求項２】
当該什器の奥行方向奥側には、当該什器を設置する区画の区画壁面に当接し、前記物品支持凹部を前記区画壁面に近接可能とする当接部が設けられ、
前記被支持物品は、前記物品載置面の上方で前記区画壁面を前記支持部として寄り掛かって傾斜する、請求項１に記載の什器。
【請求項３】
当該什器の奥行方向奥側には、前記物品支持凹部に近接して什器壁面を形成する壁面形成部が設けられ、
前記被支持物品は、前記物品載置面の上方で前記什器壁面を前記支持部として寄り掛かって傾斜する、請求項１に記載の什器。
【請求項４】
前記物品支持凹部は、前記物品載置面に沿う長手方向を有し、
前記物品支持凹部の長手方向と交差する断面視で、前記第一部位は、下方に凸の弧形状に形成される、請求項１から３の何れか１項に記載の什器。
【請求項５】
前記物品支持凹部の長手方向と交差する断面視で、前記第二部位は、前記第一部位の弧形状の開口側に連なる延長部と前記物品載置面とによって形成される角部を有する、請求項４に記載の什器。
【請求項６】
前記物品載置面を形成する板部を備え、
前記板部には、前記物品載置面を形成する上面側から下面側まで貫通し、少なくとも一部が前記物品支持凹部内に開口する開口部が形成される、請求項１から５の何れか１項に記載の什器。
【請求項７】
前記物品支持凹部は、前記物品載置面に沿う長手方向を有し、
前記開口部は、前記物品支持凹部の長手方向と交差する方向の開口幅よりも幅広である、請求項６に記載の什器。
【請求項８】
前記板部は、当該什器の天板と略平行をなして該天板の上方に離間して設けられ、
当該什器における前記板部と前記天板との間には、前記被支持物品から延びる配線を差し込み可能な配線差込口が設けられる、請求項６又は７に記載の什器。
【請求項９】
前記配線差込口は、前記開口部の直下に配置される、請求項８に記載の什器。
【請求項１０】
前記開口部は、前記物品支持凹部の長手方向で複数設けられる、請求項６から９の何れか１項に記載の什器。
【発明の詳細な説明】
【技術分野】
【０００１】
本発明は、物品載置面を備える什器に関する。
【背景技術】
【０００２】
上記什器として、例えば下記特許文献１に開示されるものは、天板の上面（物品載置面）に、タブレット端末等の被支持物品の下端を嵌合させて傾斜姿勢で自立させるための凹溝が形成される。この凹溝には、被支持物品の下端を自立可能な弾性力で保持する嵌合部材が取り付けられる。
【先行技術文献】
【特許文献】
【０００３】
【特許文献１】実用新案登録第３１９２１８９号公報
【発明の概要】
【発明が解決しようとする課題】
【０００４】
しかし、上記従来の構成では、凹溝内における被支持物品の保持状態を視認すること、すなわち被支持物品の支持強度の程度を利用者が認識することは困難である。このため、被支持物品を凹溝から取り外すにあたり、大きな力が必要な場合があるとともに、どの程度力をかけてよいか判らずに被支持物品に大きな力を掛けてしまうことがある。また、被支持物品の傾きも画一的であり、使い勝手の点で改良の余地がある。
【０００５】
そこで本発明は、被支持物品への負担を軽減しつつ、使い勝手のよい物品支持構造を構成可能な什器を提供する。
【課題を解決するための手段】
【０００６】
上記課題の解決手段として、本発明の什器は、物品を載置可能な物品載置面と、前記物品載置面で上方に向けて開口し、該物品載置面上で起立する被支持物品の下端を入り込ませて支持する物品支持凹部と、を備え、前記被支持物品は、前記物品載置面の上方で支持部に寄り掛かって傾斜し、前記物品支持凹部の底部側には、前記被支持物品の傾きの変化を許容するべく、前記被支持物品の下端を前記物品載置面の面方向で移動可能とし、かつ該面方向の移動に伴う前記下端の前記物品載置面の法線方向の移動量は０又は前記面方向の移動量よりも小さい値とする第一部位が形成され、前記物品支持凹部の開口側には、前記被支持物品の傾きの変化を抑えるべく、前記被支持物品の下端を前記面方向で移動可能としつつ、該該面方向の移動に伴う前記下端の前記法線方向の移動量は前記面方向の移動量よりも大きい値とする第二部位が形成される。
【０００７】
この構成によれば、物品載置面の物品支持凹部が、物品載置面上で傾斜して起立する被支持物品の下端を入り込ませ、被支持物品の下端の面方向の移動、すなわち該被支持物品の傾きの変化を許容しつつ支持するので、被支持物品の下端は敢えて緩く支持することになる。このため、被支持物品を取り外す際に大きな力は必要なく、また不要な力が加わった際にも被支持物品を破損させる危険性が小さくなる。
また、物品支持凹部の底部側で、被支持物品の下端を、物品載置面の法線方向での移動量を抑えて支持する第一部位に対し、物品支持凹部の開口側には、被支持物品の下端を、法線方向の移動量を大きくして支持する第二部位が設けられるので、被支持物品の下端の面方向の移動が抑えられ、被支持物品の傾きの変化が適度に規制される。
そして、第二部位では、被支持物品の下端を面方向で移動させつつ法線方向の移動を発生させるので、被支持物品に意図せぬ面方向の力が加わった際には、被支持物品の下端を物品支持凹部から離脱させ易くすることが可能となる。
このように、被支持物品への負担を軽減しつつ、使い勝手のよい物品支持構造を構成することができる。
【０００８】
また、上記什器において、当該什器の奥行方向奥側には、当該什器を設置する区画の区画壁面に当接し、前記物品支持凹部を前記区画壁面に近接可能とする当接部が設けられ、前記被支持物品は、前記物品載置面の上方で前記区画壁面を前記支持部として寄り掛かって傾斜する構成としてもよい。
この場合、什器の設置区画の区画壁面に当接部を当接させることで、物品載置面奥側の物品支持凹部と区画壁面とによる物品支持構造を容易に構成することができる。また、被支持物品は区画壁面に当接支持されるので、被支持物品が傾斜状態で安定的に支持され、かつ被支持物品を取り外す際に大きな力は必要なく、また不要な力が加わった際にも被支持物品を破損させる危険性が小さく、使い勝手のよい物品支持構造を構成することができる。
【０００９】
また、上記什器において、当該什器の奥行方向奥側には、前記物品支持凹部に近接して什器壁面を形成する壁面形成部が設けられ、前記被支持物品は、前記物品載置面の上方で前記什器壁面を前記支持部として寄り掛かって傾斜する構成としてもよい。
この場合、什器の設置区画の壁等を利用することなく、什器単独で物品載置面奥側の物品支持凹部と什器壁面とによる物品支持構造を構成することができる。また、被支持物品は什器壁面に当接支持されるので、被支持物品が傾斜状態で安定的に支持され、かつ被支持物品を取り外す際に大きな力は必要なく、また不要な力が加わった際にも被支持物品を破損させる危険性が小さく、使い勝手のよい物品支持構造を構成することができる。
【００１０】
また、上記什器において、前記物品支持凹部は、前記物品載置面に沿う長手方向を有し、前記物品支持凹部の長手方向と交差する断面視で、前記第一部位は、下方に凸の弧形状に形成される構成としてもよい。
この場合、第一部位は、被支持物品の下端を弧状に変位させるので、被支持物品の傾動を惹起しやすく、かつ物品支持凹部を丸溝状として容易に加工することができる。
【００１１】
また、上記什器において、前記物品支持凹部の長手方向と交差する断面視で、前記第二部位は、前記第一部位の弧形状の開口側に連なる延長部と前記物品載置面とによって形成される角部を有する構成としてもよい。
この場合、第二部位は、第一部位の延長部と物品載置面とによる角部を有するので、被支持物品の下端が第二部位を乗り越え難くして物品支持凹部から離脱することを抑止することができる。また、物品載置面に丸溝を形成するのみで、第一部位及び第二部位を同時かつ容易に形成することができる。
【００１２】
また、上記什器において、前記物品載置面を形成する板部を備え、前記板部には、前記物品載置面を形成する上面側から下面側まで貫通し、少なくとも一部が前記物品支持凹部内に開口する開口部が形成される構成としてもよい。
この場合、物品支持凹部内に開口するように板部を貫通する開口部が形成されるので、被支持物品が下方から配線を接続するものであっても、開口部を通じて板部の物品載置面側とその反対側との間で配線を延伸させることができる。
【００１３】
また、上記什器において、前記物品支持凹部は、前記物品載置面に沿う長手方向を有し、前記開口部は、前記物品支持凹部の長手方向と交差する方向の開口幅よりも幅広である構成としてもよい。
開口部が物品支持凹部よりも幅広なので、傾斜した被支持物品から下方に延びる配線があっても、該配線を容易に開口部に挿通して延伸させることができる。
【００１４】
また、上記什器において、前記板部は、当該什器の天板と略平行をなして該天板の上方に離間して設けられ、当該什器における前記板部と前記天板との間には、前記被支持物品から延びる配線を差し込み可能な配線差込口が設けられる構成としてもよい。
この場合、天板上面を広く確保できるとともに、被支持物品から下方に延びる配線があっても、該配線を開口部を通じて板部下方に案内して配線差込口に接続することができる。
【００１５】
また、上記什器において、前記配線差込口は、前記開口部の直下に配置される構成としてもよい。
この場合、被支持物品から開口部を通じて板部下方に至る配線を、最短距離で配線差込口に差し込むことができる。
【００１６】
また、上記什器において、前記開口部は、前記物品支持凹部の長手方向で複数設けられる構成としてもよい。
この場合、溝状の物品支持凹部の長手方向で所定位置に支持した被支持物品から、直近の開口部を通じて配線を板部下方に至らしめることができる。
【発明の効果】
【００１７】
本発明によれば、被支持物品への負担を軽減しつつ、使い勝手のよい物品支持構造を構成することができる。
【図面の簡単な説明】
【００１８】
【図１】本発明の実施形態における什器の斜視図である。
【図２】上記什器の側面図である。
【図３】上記什器の幕板の正面図である。
【図４】上記幕板の平面図である。
【図５】図４のＶ部拡大図である。
【図６】図４のＶＩ−ＶＩ断面図である。
【図７】図６の要部拡大図である。
【図８】上記什器の変形例を示す図２に相当する側面図である。
【図９】上記什器の物品支持凹部の第一の変形例を示す図７に相当する断面図である。
【図１０】上記物品支持凹部の第二の変形例を示す図７に相当する断面図である。
【図１１】上記物品支持凹部の第三の変形例を示す図７に相当する断面図である。
【図１２】上記物品支持凹部の第四の変形例を示す図７に相当する断面図である。
【発明を実施するための形態】
【００１９】
以下、本発明の一実施形態について図面を参照して説明する。なお、以下の説明における前後左右等の向きは、特に記載がなければ、実施形態のデスクに正対した使用者の手前側を「前」、奥側を「後」とし、かつ上下左右は前記使用者から見た上下左右として説明する。
【００２０】
図１〜図３に示すように、本実施形態の什器１は、略水平な物品載置面ｍ１，ｍ２を形成する例えば木製の什器本体２を備える。什器本体２は、床面Ｆに起立する下部構造体３と、前記下部構造体３に支持されるとともに物品載置面ｍ１，ｍ２を形成する上部構造体４と、を備える。
下部構造体３は、左右一対の脚体５と、左右脚体５間を連結する下段棚板６及び幕板７と、を備える。
上部構造体４は、天板１２と、天板１２の後縁の上方で垂直に配置される立板１３と、立板１３の上端で水平に配置される棚板１４と、を備える。
【００２１】
下部構造体３において、左右脚体５は、互いに左右対称とされる。各脚体５は、前脚８及び後脚９と、前脚８及び後脚９の上部間を連結する脚上梁１０と、を備える。
前脚８は、天板１２の前両側の角部の下方位置を前接地部とし、該前接地部から天板１２両側の前後中間位置に向けて直線状に延びる。前脚８は、側面視では上側ほど後側に位置するように傾斜し、正面視では上下方向に沿って延びる。前脚８は、延在方向と交差する断面形状が矩形状とされる。前脚８は、下側ほど断面形状の前後幅を縮小するように、側面視で先細りに形成される。
【００２２】
後脚９は、天板１２の後両側の角部の下方位置を後接地部とし、該後接地部から天板１２の後両側の角部に向けて、上下方向に沿って直線状に延びる。後脚９は、上下方向と交差する断面形状が、前後幅よりも左右幅の広い矩形状とされる。後脚９の断面形状と前脚８の上端近傍の断面形状とは、互いに略同一とされる。
【００２３】
脚上梁１０は、前脚８の上部後面と後脚９の上部前面との間に渡り、前後方向に沿って直線状に延びる。脚上梁１０は、前後方向と交差する断面形状が、左右幅よりも上下幅の広い矩形状とされる。脚上梁１０の左右幅は、前後脚８，９の左右幅よりも小さい。脚上梁１０の什器幅方向外側の側面と前後脚８，９の什器幅方向外側の側面とは、互いに略面一に配置される。脚上梁１０の上面は、前後脚８，９の上端面とともに、天板１２の下面に沿って配置される。
【００２４】
下段棚板６は、天板１２の下方に間隔を空けて水平に配置される。下段棚板６は、平面視で前後幅よりも左右幅の広い矩形状に形成される。下段棚板６の前縁は、天板１２の前縁よりも後方で、側面視で前脚８の上部と重なる位置に配置される。下段棚板６の後縁は、側面視で後脚９の上部と重なる位置に配置されて、幕板７の前面に当接する。下段棚板６は、左右脚上梁１０の下端高さで左右脚体５間を連結する。下段棚板６の上面と天板１２の下面との間は、物品等を収納可能な空間ｋが形成される。
なお、図２に示すように、空間ｋ内に引き出し１１を設けることも可能である。引き出し１１は、例えば左右脚上梁１０の内側面に固定したガイドレール１１ａに前後移動可能に支持される。
【００２５】
幕板７は、天板１２の後縁の下方で垂直に配置される。幕板７は、左右後脚９の上部間で左右脚体５間を連結する。幕板７は、正面視で上下幅よりも左右幅の広い矩形状に形成される。幕板７の上縁は、側面視で後脚９の上部と重なる位置で、天板１２の下面と同一高さに配置される。幕板７の下縁は、側面視で後脚９の上部と重なる位置で、下段棚板６の下面よりも下方に配置される。幕板７の前面は、側面視で後脚９の上部と重なる位置に配置される。幕板７の後面は、左右後脚９の後縁と略面一に配置される。
【００２６】
上部構造体４において、天板１２は、平面視で前後幅よりも左右幅の広い矩形状に形成される。天板１２の上面は物品載置面ｍ１とされる。
立板１３は、天板１２の後縁に下部前面を後方から当接させる。立板１３は、正面視で上下幅よりも左右幅の広い矩形状に形成される。立板１３の左右幅は、天板１２の左右幅と同一とされる。立板１３の上下幅は、天板１２の前後幅よりも小さい。立板１３は、下部構造体３の幕板７と一体形成される。立板１３の左右幅は、左右脚体５の左右幅の分だけ幕板７の左右幅よりも大きい。
【００２７】
棚板１４は、立板１３の上縁に後部下面を上方から当接させる。棚板１４は、平面視で前後幅よりも左右幅の広い矩形状に形成される。棚板１４の左右幅は、立板１３の左右幅と同一とされる。棚板１４の前後幅は、立板１３の上下幅よりも小さい。棚板１４の高さは、什器１に正対した状態で椅子等に着座した使用者の目線高さに相当する。棚板１４の上面は物品載置面ｍ２（補助載置面）とされる。
【００２８】
図４〜図６に示すように、棚板１４の物品載置面ｍ２には、該物品載置面ｍ２の上方に向けて開口する物品支持凹部１５が形成される。
物品支持凹部１５は、物品載置面ｍ２上で傾斜して起立する被支持物品ＴＢの下端を入り込ませて支持する。物品支持凹部１５は、水平な物品載置面ｍ２に沿って棚板１４の左右全幅に渡って左右方向と平行に延びる丸溝状の態様をなす。被支持物品ＴＢとしては、タブレット端末、スマートフォン又は電子書籍といった、矩形平板状の本体の表面に表示パネルを備えた電子機器が挙げられる。物品支持凹部１５は、前記電子機器の標準的な縦横何れの幅に対しても十分大きい長さ寸法を有するが、幅寸法は前記電子機器の標準的な厚さに電子機器の傾きの変化を特定範囲分だけ許容する程度の値（例えば１５〜３０ｍｍ）に抑えられる。
【００２９】
棚板１４の前後で物品支持凹部１５の前方及び後方には、それぞれ小幅の前後溝１６ａ，１６ｂが形成され、紙面の下端を差し込んで支持可能である。なお、物品支持凹部１５は板状の電子機器の支持に好適であるが、電子機器よりも厚みのある本等を支持してもよい。
【００３０】
前述のような板状の電子機器を使用する際、これを物品載置面ｍ１，ｍ２上に平置きした状態では、電子機器の表示パネル（画面）を上方から視認することとなり、視認性に課題がある。また、表示パネルが入力装置を兼ねる場合、操作性にも課題がある。
このため、前記板状の電子機器を傾斜状態で起立させ、什器１に正対する使用者に電子機器の表示パネルを向けることが好ましい。これにより、電子機器を手に持つことなく、起立した電子機器の画面を正面視しながら使用することが可能となる。また、後述の如く電子機器の傾きを調整可能とすることで、表示パネルを使用者の視線に正対させる、又は表示パネルの光の反射を抑える等により、視認性を向上させることが可能となる。
【００３１】
図６に示すように、什器１は、上部構造体４（望ましくは棚板１４）の奥行方向奥側の当接部１７を、当該什器１を設置する室内の区画壁面Ｗ１に当接させて設置される。このとき、棚板１４の後縁は、垂直な区画壁面Ｗ１に当接又は近接する。棚板１４の後側には、物品支持凹部１５が形成される。これにより、什器１の設置状態で、物品支持凹部１５と区画壁面Ｗ１とが近付いて配置される。
そして、被支持物品ＴＢは、物品載置面ｍ２の上方で区画壁面Ｗ１に寄り掛かって傾斜する。この被支持物品ＴＢの下端は物品支持凹部１５内に載置された状態で支持され、被支持物品ＴＢの上端は区画壁面Ｗ１に前方から当接した状態で支持される。
【００３２】
図４、図５を併せて参照し、棚板１４には、該棚板１４における物品支持凹部１５と重なる部位を上下に貫通する開口部１９が形成される。開口部１９は、物品支持凹部１５の長手方向（左右方向）に例えば複数（図では例えば左右中央及び左側の二つ）設けられる。各開口部１９は、平面視において、例えば長軸方向を左右方向に沿わせた長円形状とされる。
【００３３】
図５、図６を参照し、各開口部１９は、物品支持凹部１５の長手方向と直交する方向（凹部直交方向、前後方向）において、物品支持凹部１５の開口幅ｈ１内で凹部中心を跨ぎつつ前側に変位する開口上部２０と、開口上部２０に対して前部を段差状に前方へ広げる開口下部２１と、を有する。凹部直交方向において、開口上部２０の開口幅ｈ２は、物品支持凹部１５の開口幅ｈ１よりも狭く、開口下部２１の開口幅ｈ３は、物品支持凹部１５の開口幅ｈ１よりも広い。開口部１９の全体形状は、棚板１４の上面側（物品載置面ｍ２側）から下面側まで、下側ほど前側に広がるように末広がりに形成されるとともに、下側ほど前側に位置するように傾斜して形成されるともいえる。このため、被支持物品ＴＢから真下に延びる配線ｃａのみならず、被支持物品ＴＢの傾斜に沿うように斜め下前方に延出する配線ｃａも挿通し易く、配線ｃａの屈曲及び開口部１９内への接触が抑えられる。
【００３４】
なお、開口上部２０及び開口下部２１は、それぞれ棚板１４の厚み方向に沿って形成されるが、棚板１４の厚み方向に対して斜めに形成してもよい。ただし、棚板１４の厚み方向に対して斜めに開口部１９を形成する場合と比べて、本実施形態の如く棚板１４の厚み方向に沿って開口部１９を形成すると、棚板１４に対して厚み方向に沿って工具を進退させて開口部１９を形成することが可能となり、棚板１４の加工性がよい。
【００３５】
図３を参照し、棚板１４の下方で立板１３の前面には、例えば電源用の差込プラグを差し込むためのコンセント（プラグ受け）等の配線差込口２２が設けられる。配線差込口２２は、例えば立板１３の左右一側（図では左側）にずれて配置され、かつ同側に位置する開口部１９の直下に配置される。
【００３６】
図７を参照し、物品支持凹部１５の底部側は、被支持物品ＴＢの傾きの変化を許容するべく、被支持物品ＴＢの下端を、物品支持凹部１５の内面上で摺動させて、物品載置面ｍ２の面方向（面に沿う方向）で移動可能とし、かつ該面方向の移動に伴う前記下端の物品載置面ｍ２の法線方向の移動量は、前記面方向の移動量よりも小さい値とする第一部位２３とされる。
また、物品支持凹部１５の開口側は、被支持物品ＴＢの傾きの変化を抑えるべく、物品支持凹部１５の内面上での摺動により被支持物品ＴＢの下端を前記面方向で移動可能としつつ、該面方向の移動に伴う前記下端の前記法線方向の移動量は、前記面方向の移動量よりも大きい値とする第二部位２４とされる。
【００３７】
物品支持凹部１５の長手方向と交差する断面視において、第一部位２３は、下方に凸の円弧形状に形成され、第二部位２４は、第一部位２３の円弧形状の開口側に連なる延長部として構成される。図中符号２４ａは第二部位２４における第一部位２３の円弧面２３ａに連なる円弧面、符号２４ｃは第二部位２４における円弧面２４ａと物品載置面ｍ２とによって形成される角部をそれぞれ示す。第一部位２３の円弧面２３ａの中心ｃ１と第二部位２４の円弧面２４ａの中心ｃ２とは互いに一致する。
【００３８】
前記断面視において、物品支持凹部１５の断面形状は半円形状であるが、その深さは前記半円形状の半径未満とされる。前記断面視において、第一部位２３及び第二部位２４は、互いに連続する同一半径の円弧形状を形成する。前記断面視において、前記円弧形状の接線ｔは、物品載置面ｍ２（水平面）に対する角度θを、前記円弧形状の下端位置から徐々に増加させる。この角度θが４５度になる接点ｐが、第一部位２３及び第二部位２４の境となる。
【００３９】
すなわち、被支持物品ＴＢの下端が第一部位２３に接触するとき、第一部位２３の円弧面２３ａに沿って移動する前記下端の前記法線方向の移動量ｄｙは、該下端の前記面方向の移動量ｄｘよりも小さくなる。一方、被支持物品ＴＢの下端が第二部位２４に接触するとき、第二部位２４に沿って移動する前記下端の前記法線方向の移動量ｄｙは、該下端の前記面方向の移動量ｄｘよりも大きくなる。
【００４０】
物品支持凹部１５の深さは、前記円弧形状の半径未満なので、前記断面視における前記円弧形状の接線ｔは垂直にはならず、被支持物品ＴＢの下端が物品支持凹部１５の内面に沿って移動する間は、該下端の前記面方向の移動量ｄｘは確保される。
【００４１】
そして、被支持物品ＴＢの下端が物品支持凹部１５に挿入されるとともに、被支持物品ＴＢの上端が区画壁面Ｗ１に寄り掛かった状態で、被支持物品ＴＢが傾斜して起立した状態で支持される。被支持物品ＴＢの下端は、物品支持凹部１５の第一部位２３に接した状態で、該第一部位２３の円弧形状に沿って移動可能であり、被支持物品ＴＢの傾動を惹起する。被支持物品ＴＢは、下端を第一部位２３の円弧形状に沿って移動させ、上端を区画壁面Ｗ１に沿って上下動させることで傾動する。この傾動は、被支持物品ＴＢの下端が物品支持凹部１５の第二部位２４に接し始めると、被支持物品ＴＢの自重等に基づく規制力によって適度に規制される。
【００４２】
被支持物品ＴＢの下端が物品支持凹部１５内に接した状態で、被支持物品ＴＢの下端に物品載置面ｍ２の面方向の力が加わると、被支持物品ＴＢの下端が物品支持凹部１５の内面に沿って移動し、前記下端の前記面方向の移動量ｄｘ及び前記法線方向の移動量ｄｙが発生する。前記法線方向の移動量ｄｙは、被支持物品ＴＢの下端を物品支持凹部１５から離脱させる移動量であり、前記面方向の力によっても物品支持凹部１５の内面に案内されて発生する。これにより、被支持物品ＴＢの下端に物品載置面ｍ２の面方向の力が加わった際、被支持物品ＴＢへの過剰な入力が抑えられるとともに、被支持物品ＴＢを物品支持凹部１５から容易に取り外し可能となる。
【００４３】
以上説明したように、上記実施形態における什器１は、物品を載置可能な物品載置面ｍ２と、前記物品載置面ｍ２で上方に向けて開口し、該物品載置面ｍ２上で起立する被支持物品ＴＢの下端を入り込ませて支持する物品支持凹部１５と、を備え、前記被支持物品ＴＢは、前記物品載置面ｍ２の上方で支持部（区画壁面Ｗ１）に寄り掛かって傾斜し、前記物品支持凹部１５の底部側には、前記被支持物品ＴＢの傾きの変化を許容するべく、前記被支持物品ＴＢの下端を前記物品載置面ｍ２の面方向で移動可能とし、かつ該面方向の移動に伴う前記下端の前記物品載置面ｍ２の法線方向の移動量ｄｙは前記面方向の移動量ｄｘよりも小さい値とする第一部位２３が形成され、前記物品支持凹部１５の開口側には、前記被支持物品ＴＢの傾きの変化を抑えるべく、前記被支持物品ＴＢの下端を前記面方向で移動可能としつつ、該面方向の移動に伴う前記下端の前記法線方向の移動量ｄｙは前記面方向の移動量ｄｘよりも大きい値とする第二部位２４が形成される。
【００４４】
この構成によれば、物品載置面ｍ２の物品支持凹部１５が、物品載置面ｍ２上で傾斜して起立する被支持物品ＴＢの下端を入り込ませ、被支持物品ＴＢの下端の面方向の移動、すなわち被支持物品ＴＢの傾きの変化を許容しつつ支持するので、被支持物品ＴＢの下端は敢えて緩く支持することになる。このため、被支持物品ＴＢを取り外す際に大きな力は必要なく、また不要な力が加わった際にも被支持物品ＴＢを破損させる危険性が小さくなる。
また、物品支持凹部１５の底部側で、被支持物品ＴＢの下端を、物品載置面ｍ２の法線方向での移動量ｄｙを抑えて支持する第一部位２３に対し、物品支持凹部１５の開口側には、被支持物品ＴＢの下端を、法線方向の移動量ｄｙを大きくして支持する第二部位２４が設けられるので、被支持物品ＴＢの下端の面方向の移動が抑えられ、被支持物品ＴＢの傾きの変化が適度に規制される。
そして、第二部位２４では、被支持物品ＴＢの下端を面方向で移動させつつ法線方向の移動を発生させるので、被支持物品ＴＢに意図せぬ面方向の力が加わった際には、被支持物品ＴＢの下端を物品支持凹部１５から離脱させ易くすることが可能となる。
このように、被支持物品ＴＢへの負担を軽減しつつ、使い勝手のよい物品支持構造を構成することができる。
【００４５】
また、上記什器１は、前記物品支持凹部１５が、前記物品載置面ｍ２の奥行方向奥側に設けられ、当該什器１の奥行方向奥側には、当該什器１を設置する区画の区画壁面Ｗ１に当接し、前記物品支持凹部１５を前記区画壁面Ｗ１に近接可能とする当接部１７が設けられ、前記被支持物品ＴＢは、前記物品載置面ｍ２の上方で前記区画壁面Ｗ１に寄り掛かって傾斜する。
この場合、什器１の設置区画の区画壁面Ｗ１に当接部１７を当接させることで、物品載置面ｍ２奥側の物品支持凹部１５と区画壁面Ｗ１とによる物品支持構造を容易に構成することができる。また、被支持物品ＴＢは区画壁面Ｗ１に当接支持されるので、被支持物品ＴＢが傾斜状態で安定的に支持され、かつ被支持物品ＴＢを取り外す際に大きな力は必要なく、また不要な力が加わった際にも被支持物品ＴＢを破損させる危険性が小さく、使い勝手のよい物品支持構造を構成することができる。
【００４６】
また、上記什器１は、前記物品支持凹部１５が、前記物品載置面ｍ２に沿う長手方向を有し、前記物品支持凹部１５の長手方向と交差する断面視で、前記第一部位２３は、下方に凸の弧形状に形成され、前記第二部位２４は、前記第一部位２３の弧形状の開口側に連なる延長部（円弧面２４ａ）と前記物品載置面ｍ２とによって形成される角部２４ｃを有する。
この場合、第一部位２３は、被支持物品ＴＢの下端を弧状に変位させるので、被支持物品ＴＢの傾動を惹起しやすく、かつ物品支持凹部１５を丸溝状として容易に加工することができる。
また、第二部位２４は、第一部位２３の延長部と物品載置面ｍ２とによる角部２４ｃを有するので、被支持物品ＴＢの下端が第二部位２４を乗り越え難くして物品支持凹部１５から離脱することを抑止することができる。また、物品載置面ｍ２に丸溝を形成するのみで、第一部位２３及び第二部位２４を同時かつ容易に形成することができる。
【００４７】
また、上記什器１は、前記物品載置面ｍ２を形成する棚板１４を備え、前記棚板１４には、前記物品載置面ｍ２を形成する上面側から下面側まで貫通し、少なくとも一部が前記物品支持凹部１５内に開口する開口部１９が形成される。
この場合、物品支持凹部１５内に開口するように棚板１４を貫通する開口部１９が形成されるので、被支持物品ＴＢが下方から配線ｃａを接続するものであっても、開口部１９を通じて棚板１４の物品載置面ｍ２側とその反対側との間で配線ｃａを延伸させることができる。また、物品支持凹部１５内の清掃も容易になる。
【００４８】
また、前記開口部１９は、前記物品支持凹部１５の長手方向と交差する方向の開口幅ｈ１よりも幅広であるため、傾斜した被支持物品ＴＢから下方に延びる配線ｃａがあっても、該配線ｃａを容易に開口部１９に挿通して延伸させることができる。なお、開口部１９がその上下全幅に渡って物品支持凹部１５よりも幅広であってもよく、かつ開口部１９が物品支持凹部１５の前後にそれぞれ張り出す前後幅でもよい。また、開口部１９が物品支持凹部１５よりも幅狭であってもよい。
【００４９】
また、上記什器１は、前記棚板１４が、当該什器１の天板１２と略平行をなして該天板１２の上方に離間して設けられ、当該什器１における前記棚板１４と前記天板１２との間には、前記被支持物品ＴＢから延びる配線ｃａを差し込み可能な配線差込口２２が設けられる。
この場合、天板１２上面を広く確保できるとともに、被支持物品ＴＢから下方に延びる配線ｃａがあっても、該配線ｃａを開口部１９を通じて棚板１４下方に案内して配線差込口２２に接続することができる。
【００５０】
また、前記配線差込口２２は、前記開口部１９の直下に配置されるので、被支持物品ＴＢから開口部１９を通じて棚板１４下方に至る配線ｃａを、最短距離で配線差込口２２に差し込むことができる。
また、前記開口部１９は、前記物品支持凹部１５の長手方向で複数設けられるので、溝状の物品支持凹部１５の長手方向で所定位置に支持した被支持物品ＴＢから、直近の開口部１９を通じて配線ｃａを棚板１４下方に至らしめることができる。なお、開口部１９の数、位置及び形状は上記実施形態のものに限らない。
【００５１】
なお、本発明は上記実施形態に限られるものではなく、例えば、配線差込口２２は、電源用の差込プラグを差し込むためのコンセント（プラグ受け）等の他、ＬＡＮ（Local Area Network）用、ＵＳＢ（Universal Serial Bus）用等のポート又はジャックでもよい。また、電力供給用に限らず通信用であってもよい。
【００５２】
また、区画壁面Ｗ１を利用して被支持物品ＴＢを支持する構成に限らず、図８に示す什器１０１のように、当該什器１の奥行方向奥側に、前記物品支持凹部１５に近接して什器壁面Ｗ２を形成する壁面形成部１１８が設けられ、前記被支持物品ＴＢが、前記物品載置面ｍ２の上方で前記什器壁面Ｗ２に寄り掛かって傾斜する構成でもよい。
この場合、什器１０１の設置区画の壁等を利用することなく、什器１０１単独で什器本体２奥側の物品支持凹部１５と什器壁面Ｗ２とによる物品支持構造を構成することができる。
【００５３】
また、円溝状の物品支持凹部１５に限らず、例えば図９に示す物品支持凹部１１５のように、断面視で物品載置面ｍ２と平行な平坦部分を含む第一部位１２３を設けてもよい。このとき、第一部位１２３の平坦部分では、被支持物品ＴＢの下端の前記面方向の移動に伴う前記法線方向の移動量は０となる。
同様に、例えば図１０に示す物品支持凹部２１５ように、断面視で接点ｐの接線方向に沿う平坦状の第二部位２２４を設けてもよい。さらに、それぞれ平坦状の第一部位及び第二部位を組み合わせて断面逆台形状の物品支持凹部を形成してもよい（図示略）。
【００５４】
また、例えば図１１に示す物品支持凹部３１５のように、棚板１４における物品支持凹部３１５の後方に切り欠き３２４を形成し、区画壁面Ｗ１又は什器壁面Ｗ２を含む壁面Ｗ３に物品支持凹部３１５を開放してもよい。すなわち、物品支持凹部は、幅方向（前後方向）で対称をなすものに限らず、例えば、第一部位における被支持物品ＴＢを倒すように下端を移動させる側（幅方向手前側、前側）にのみ第二部位が形成される構成でもよい。
【００５５】
また、例えば図１２に示す物品支持凹部４１５のように、物品載置面ｍ２上に前後一対の凸部４２４を形成し、物品支持凹部４１５の少なくとも一部が物品載置面ｍ２よりも上方に形成される構成でもよい。
【００５６】
他、物品支持凹部の内面に、物品支持凹部の長手方向と平行な凹凸状の表面加工を施し、被支持物品の傾き調整を容易にしてもよい。棚板１４及び立板１３の有無は問わず、物品支持凹部を天板１２に設けてもよい。デスクに限らずテーブル及びキャビネット等の什器に適用してもよい。
そして、上記実施形態における構成は本発明の一例であり、当該発明の要旨を逸脱しない範囲で種々の変更が可能である。
【符号の説明】
【００５７】
１，１０１  什器
１２  天板
１４  棚板（板部）
１５，１１５，２１５，３１５，４１５  物品支持凹部
１７  当接部
１９  開口部
２２  配線差込部
２３，１２３  第一部位
２４，２２４  第二部位
２４ａ  円弧面（延長部）
２４ｃ  角部
１１８  壁面形成部
ｄｘ  面方向の移動量
ｄｙ  法線方向の移動量
ｍ２  物品載置面
ＴＢ  被支持物品
ｃａ  配線
Ｗ１  区画壁面（支持部）
Ｗ２  什器壁面（支持部）
ｈ１  開口幅
【図１】
0006627119.tif 000002
【図２】
0006627119.tif 000003
【図３】
0006627119.tif 000004
【図４】
0006627119.tif 000005
【図５】
0006627119.tif 000006
【図６】
0006627119.tif 000007
【図７】
0006627119.tif 000008
【図８】
0006627119.tif 000009
【図９】
0006627119.tif 000010
【図１０】
0006627119.tif 000011
【図１１】
0006627119.tif 000012
【図１２】
0006627119.tif 000013